(57)【要約】      （修正有）【課題】新規性に富んだ視覚効果と美観効果を備える寝袋を提供する。      【解決手段】寝袋１の構造を、内包装層１２、透明な外包装層１１及び内、外包装層の間に充填した充填物を縫い付けて所定の形状として構成し、該充填物として羽毛、ダウン、繊維充填材もしくは羽毛にダウンを加えた物等の成分から構成する。【選択図】図３
0003153354.tif 000002
【実用新案登録請求の範囲】
【請求項１】
内包装層、外包装層及び内包装層と外包装層の間に充填した充填物を縫付けて寝袋の上下部分を構成し、該寝袋上下部分を縫い取りファスナーで結合し、該充填物は羽毛(Feather)、ダウン(Down)、繊維充填材(Polyfill)もしくは羽毛にダウンを加えた物等の材質から構成される寝袋の構造において、
該寝袋の外包装層を透明もしくは半透明材質とし、
該充填物を染め上げて着色し、充填物の着色した形態を透明もしくは半透明の外包装層から提示するようにしたことを特徴とする寝袋の構造。
【請求項２】
前記外包装層は、プリント(Printing)処理もしくはフロック加工(Flocking)処理を選択して行って該透明もしくは半透明の外包装層に花模様を形成し、前述の着色した充填物に合わせて提示するようにしたことを特徴とする請求項１記載の寝袋の構造。
【請求項３】
前記外包装層は、内層に透明もしくは半透明材質の防湿通気薄膜(Waterproof-Breathable Film)を貼り合せ、ダウンもしくは細かい繊維の充填物が出てしまうのを防止するようにしたことを特徴とする請求項１記載の寝袋の構造。
【請求項４】
前記充填物は、羽毛、ダウンもしくは繊維充填材であり、単色もしくは一種以上の色に染めて、多色としたことを特徴とする請求項１記載の寝袋の構造。
【請求項５】
前記内包装層は、内層に不織布を添着したことを特徴とする請求項１記載の寝袋の構造。
【考案の詳細な説明】
【技術分野】
【０００１】
本考案は、寝袋の構造に関するもので、寝袋の充填物を染めた色が透明もしくは半透明材質の外包装層から透け出して表れ、新規性に富んだ視覚効果と趣味性及び新鮮味を備えた効果をもたらす。
【背景技術】
【０００２】
現在、公知の寝袋３は、図１、図２に示すとおり、主に内包装層３１と外包装層３２に充填する羽毛、ダウンもしくは繊維充填材等の充填物(図未提示)によって保温効果を達成する。
【先行技術文献】
【特許文献】
【０００３】
【特許文献１】特表２００２−５５０１８号公報
【考案の概要】
【考案が解決しようとする課題】
【０００４】
解決しようとする問題点は、時代の進歩に依って、寝袋は単純な保温効果もしくは寝袋の形状変化だけでは流行の潮流に合わないため、常に新しいデザインと生活に合わせた多様化が求められている。
また、一般に子供が要求する寝袋は大人と違い、常にうるさく要求するため、大人を困らせることが多々ある。
【課題を解決するための手段】
【０００５】
本考案は、内包装層、外包装層及び内包装層と外包装層の間に充填した充填物を縫いつけて必要な形状にした寝袋で、該充填物は、羽毛(Feather)、ダウン(Down)、繊維充填材(Polyfill)もしくは羽毛にダウンを加えた物等から構成され、本実施例の充填物は羽毛とダウンを含む。該寝袋の外包装層は、透明もしくは半透明材質で、且つ該充填物は例として羽毛、ダウンを必要な色に染めたもので、更に充填物の色が透明もしくは半透明の外包装層から表れ、新規性に富み、視覚効果と美観効果を備えることを特徴とする。
【考案の効果】
【０００６】
本考案の寝袋の構造は、下述の利点がある。
寝袋１内の羽毛２１、ダウン２２もしくは繊維充填材等充填物の色は、透明もしくは半透明の外包装層１２から透けて表れ、新奇性に富んだ視覚効果と美観効果を備える。
該寝袋１の充填物は、一般の保温効果の他に、新鮮味と趣味性で使用者の購買意欲を高め、特に幼い子供に寝袋を使用したいという意欲を高める。
【図面の簡単な説明】
【０００７】
【図１】公知の寝袋を開いた状態の立体図である。
【図２】公知の寝袋の立体図である。
【図３】本考案の実施例の開いた状態の立体指示図である。
【図４】本考案の実施例の立体図である。
【図５】本考案の実施例の別一角度から見た立体指示図である。
【図６】本考案の実施例の部分断面拡大指示図である。
【図７】本考案の実施例のうち、外包装層に防湿通気薄膜を備えた部分断面拡大指示図である。
【図８】本考案の実施例のうち、外包装層に不織布層を連結した部分断面拡大指示図である。
【考案を実施するための形態】
【０００８】
本考案者は弛まぬ研究と改良により、一種の寝袋の構造を考案した。
寝袋内の羽毛、ダウンもしくは繊維充填材等充填物の色は、透明もしくは半透明の外包装層から透けて表れ、新奇性に富んだ視覚効果と美観効果を備えることを主な目的とする。
該寝袋の充填物は、一般の保温効果の他に、新鮮味と趣味性で使用者の購買意欲を高め、特に幼い子供に寝袋を使用したいという意欲を高めることを次の目的とする。
【実施例】
【０００９】
図３〜図４に示すとおり、本考案の寝袋の構造は、内包装層１２、外包装層１１及び内包装層１２と外包装層１１の間に充填する充填物を縫いつけ、必要な形状に寝袋１(図３)とする。該寝袋１は、別に縫い取りファスナー４を合わせ(図４参照)、また、該前述の充填物は羽毛(Feather)２１(別に図６参照)、ダウン(Down)２２、繊維充填材(Polyfill)(図未提示)もしくは羽毛２１にダウン２２を加えた物等の成分から構成され、本実施例の充填物は羽毛２１とダウン２２を含む。
【００１０】
該寝袋１の外包装層１１は、透明もしくは半透明材質で、且つ該充填物は例として羽毛２１、ダウン２２には必要な色に染め上げ、更に充填物の色彩は透明もしくは半透明の外包装層１１に表れるようにすることで、新奇性を備えた視覚効果と美観効果を形成する(図４の立体図及び図５の別一角度立体図参照)。他に対象が子供の場合は、新鮮味と趣味によって子供の注意を引き付け、購買意欲を高める。
【００１１】
更に前述の外包装層１１は、プリント(Printing)(図未提示)処理、もしくはフロック加工(Flocking)(図未提示)処理を選択し、該透明もしくは半透明の外包装層１１には花模様を備え、前述の有色の羽毛２１、ダウン２２等充填物と共に更に外観の美観を高める。
【００１２】
別に、図７に示すとおり、前述の外包装層１１の内層には別に透明もしくは半透明材の防湿通気薄膜１１１ (Waterproof-Breathable Film)を貼り付け、外包装層１１の密度が低くなった時(即ち筋が少ない)、ダウン２２等細かい繊維の充填物が出てしまうのを防止する效果を備える。
【００１３】
また図８に示すとおり、前述の内包装層１２は一層の不織布１２２を沿えてもよい。
【００１４】
また、別に前述の充填物は例として羽毛２１、ダウン２２もしくは繊維充填材(図未提示)であるが、単色染め、もしくは一種以上の色でもよく、色を増やすと相対して変化が高まり、異なる美観効果を形成する。
【符号の説明】
【００１５】
１        寝袋
１１        外包装層
１２        内包装層
１２２        不織布
２１        羽毛
２２        ダウン
３        寝袋
３１        内包装層
３２        外包装層
４        縫い取りファスナー
【図１】
0003153354.tif 000003
【図２】
0003153354.tif 000004
【図３】
0003153354.tif 000005
【図４】
0003153354.tif 000006
【図５】
0003153354.tif 000007
【図６】
0003153354.tif 000008
【図７】
0003153354.tif 000009
【図８】
0003153354.tif 000010